(57)【特許請求の範囲】
【請求項１】
商品をカテゴリ別に分類して商品検索を行うモールサーバにおいて、
商品を分類するための複数のカテゴリが、それぞれのカテゴリの適用期間に関する情報とともに登録されているカテゴリマスタテーブルと、
カテゴリ別に分類された商品が登録された商品マスタテーブルと、
端末装置から検索画面取得要求を受け取ると、現在の日付を前記適用期間に含んでいるカテゴリのリストをカテゴリ選択メニューとして含む商品検索画面データを作成する商品検索画面作成手段と、
前記商品検索画面データを閲覧した前記端末装置から、前記カテゴリ選択メニュー内の任意のカテゴリを指定した検索指令を受け取ると、指定されたカテゴリに属する商品を前記商品マスタテーブルの中から検索する商品検索手段と、
を有することを特徴とするモールサーバ。
【請求項２】
前記カテゴリマスタテーブルは、開始月日と終了月日とにより適用期間を特定していることを特徴とする請求項１記載のモールサーバ。
【請求項３】
前記商品検索画面作成手段は、ハイパーテキスト形式の構造化文書として前記商品検索画面データを作成することを特徴とする請求項１記載のモールサーバ。
【請求項４】
前記商品検索手段は、前記検索指令を受け取った際に、商店が指定されているか否かを判断し、商店が指定されていない場合には、検索条件に合致する商品の件数を商店別に集計した商店別ヒット数表示画面データを作成することを特徴とする請求項１記載のモールサーバ。
【請求項５】
商品をカテゴリ別に分類して商品検索を行うモールサーバプログラムを記録したコンピュータ読み取り可能な記録媒体において、
商品を分類するための複数のカテゴリが、それぞれのカテゴリの適用期間に関する情報とともに登録されているカテゴリマスタテーブル、
カテゴリ別に分類された商品が登録された商品マスタテーブル、
端末装置から検索画面取得要求を受け取ると、現在の日付を前記適用期間に含んでいるカテゴリのリストをカテゴリ選択メニューとして含む商品検索画面データを作成する商品検索画面作成手段、
前記商品検索画面データを閲覧した前記端末装置から、前記カテゴリ選択メニュー内の任意のカテゴリを指定した検索指令を受け取ると、指定されたカテゴリに属する商品を前記商品マスタテーブルの中から検索する商品検索手段、
としてコンピュータを機能させることを特徴とするモールサーバプログラムを記録したコンピュータ読み取り可能な記録媒体。
【発明の詳細な説明】
【０００１】
【発明の属する技術分野】
本発明はネットワーク上で仮想的なショッピングモールを提供するモールサーバ及びモールサーバプログラムを記録したコンピュータ読み取り可能な記録媒体に関し、特に商品をカテゴリ別に分類して商品検索を行うモールサーバ及びそのような機能をコンピュータで実現するためのモールサーバプログラムを記録したコンピュータ読み取り可能な記録媒体に関する。
【０００２】
【従来の技術】
近年の情報通信手段の発達により、インターネットのような広域情報通信網を用いて様々なサービスが提供されている。そのサービスの１つに、ネットワーク上に設けられた仮想的なショッピングモールがある。このショッピングモールにアクセスすれば、自宅に居ながらにして様々な商品を購入できる。
【０００３】
ショッピングモールのサービスは、モールサーバと呼ばれるサーバコンピュータにより提供されている。インターネットを介してモールサーバにアクセスすると、そのショッピングモールで販売している商品リストを見ることができる。このとき顧客が目的の商品を見つけやすいように、モールサーバには商品検索機能が設けられている。その商品検索機能における検索キーとして、カテゴリが用いられることがある。
【０００４】
図１０は、従来のモールサーバの商品検索画面を示す図である。商品検索画面６０を開くと、商品のカテゴリのリストが表示される。この例では、検索キーとして「ファッション」、「グルメ」、「ホビー」、「クリスマス」及び「お中元」のカテゴリが表示されている。利用者は、これらのカテゴリの中から自分の欲しい商品が属するカテゴリを選択する。すると、選択されたカテゴリに属する商品が、顧客の端末装置の画面に表示される。そして、顧客は、画面に表示された商品の中から欲しい商品を指定して、その商品を注文することができる。
【０００５】
このように、カテゴリを検索キーとした検索機能を用いれば、目的の商品を容易に見つけ出し、注文をすることができる。
【０００６】
【発明が解決しようとする課題】
しかし、従来のカテゴリ別検索機能では、時節に関係なく検索キーが表示されることから、時節によっては不要なカテゴリまでも多数表示されてしまうという問題点があった。このような不要なカテゴリは、顧客が目的のカテゴリを選択する際の邪魔になる。例えば、「クリスマス」のカテゴリが利用される時期は、クリスマスシーズン中に限られる。このように、ある特定の時節に限って利用されるカテゴリが検索画面に常に表示されていると、利用者が探しているカテゴリが埋もれてしまい、目的のカテゴリを見つけ出すのに時間がかかってしまう。
【０００７】
また、販売期間が限定されている商品が販売期間以外においても検出されると、販売していない商品がリストアップされることとなり顧客が混乱してしまう。そこで、販売期間以外はその商品が検出されないようにする必要がある。ところが、そのためには出店企業の担当者が時節に応じて逐一商品の登録及び抹消を行わなければならなかったため、出店企業の担当者の負担が過大であった。
【０００８】
本発明はこのような点に鑑みてなされたものであり、各カテゴリを検索キーとして、商品検索画面へ表示する期間を限定することができるモールサーバを提供することを目的とする。
【０００９】
また、本発明の多の目的は、各カテゴリを検索キーとして、商品検索画面へ表示する期間を限定する処理をコンピュータに行わせることができるモールサーバプログラムを記録したコンピュータ読み取り可能な記録媒体を提供することである。
【００１０】
【課題を解決するための手段】
本発明では上記課題を解決するために、商品をカテゴリ別に分類して商品検索を行うモールサーバにおいて、商品を分類するための複数のカテゴリが、それぞれのカテゴリの適用期間に関する情報とともに登録されているカテゴリマスタテーブルと、カテゴリ別に分類された商品が登録された商品マスタテーブルと、端末装置から検索画面取得要求を受け取ると、現在の日付を前記適用期間に含んでいるカテゴリのリストをカテゴリ選択メニューとして含む商品検索画面データを作成する商品検索画面作成手段と、前記商品検索画面データを閲覧した前記端末装置から、前記カテゴリ選択メニュー内の任意のカテゴリを指定した検索指令を受け取ると、指定されたカテゴリに属する商品を前記商品マスタテーブルの中から検索する商品検索手段と、を有することを特徴とするモールサーバが提供される。
【００１１】
このモールサーバによれば、端末装置から検索画面取得要求が送られてくると、商品検索画面作成処理部により、現在の日付を前記適用期間に含んでいるカテゴリのリストをカテゴリ選択メニューとして含む商品検索画面データが作成される。そして、商品検索画面データを閲覧した前記端末装置から検索指令が送られてくると、商品検索手段により、指定されたカテゴリに属する商品が商品マスタテーブルの中から検索される。
【００１２】
このようにして、端末装置を操作する顧客は、適用期間内に含まれるカテゴリのみをカテゴリ選択メニューとして閲覧することができるため、目的のカテゴリを容易に見つけ出して、検索指令を出すことができる。
【００１３】
また、上記課題を解決するために、商品をカテゴリ別に分類して商品検索を行うモールサーバプログラムを記録したコンピュータ読み取り可能な記録媒体において、商品を分類するための複数のカテゴリが、それぞれのカテゴリの適用期間に関する情報とともに登録されているカテゴリマスタテーブル、カテゴリ別に分類された商品が登録された商品マスタテーブル、端末装置から検索画面取得要求を受け取ると、現在の日付を前記適用期間に含んでいるカテゴリのリストをカテゴリ選択メニューとして含む商品検索画面データを作成する商品検索画面作成手段、前記商品検索画面データを閲覧した前記端末装置から、前記カテゴリ選択メニュー内の任意のカテゴリを指定した検索指令を受け取ると、指定されたカテゴリに属する商品を前記商品マスタテーブルの中から検索する商品検索手段、としてコンピュータを機能させることを特徴とするモールサーバプログラムを記録したコンピュータ読み取り可能な記録媒体が提供される。
【００１４】
この記録媒体に記録されたモールサーバプログラムをコンピュータに実行させれば、上記本発明に係るモールサーバの機能がコンピュータ上で実現される。
【００１５】
【発明の実施の形態】
以下、本発明の実施の形態を図面を参照して説明する。
図１は本発明の原理構成図である。モールサーバ１０は、端末装置２０からアクセスする顧客に対し、ショッピングモールに加盟している商店が販売している商品のカテゴリ別検索機能を提供している。
【００１６】
モールサーバ１０内には２種類のテーブルが設けられている。カテゴリマスタテーブル１１には、商品を分類するための検索キーとなる複数のカテゴリが、それぞれのカテゴリの適用期間に関する情報とともに登録されている。適用期間は、開始月日と終了月日とで示されている。商品マスタテーブル１２には、個々の商品とその商品の属するカテゴリとが対応づけて登録されている。
【００１７】
商品検索画面作成手段１３は、端末装置２０から検索画面取得要求が出された際に、カテゴリマスタテーブル１１に基づいて、現在の日付を適用期間に含んでいるカテゴリのリストをカテゴリ選択メニューとした商品検索画面データを作成する。その商品検索画面データは、端末装置２０に送る。
【００１８】
商品検索手段１４は、端末装置２０から検索指令が入力されると、商品マスタテーブル１２を参照して、選択されたカテゴリに属する商品を検索する。そして、検出された商品の商品リスト表示画面データを作成し、端末装置２０に送る。
【００１９】
端末装置２０は、モールサーバ１０に対して商品検索画面データを作成させるための検索画面取得要求や、検索を実行させるための検索指令を出力することができる。また、モールサーバ１０が提供するデータの閲覧機能を有している。すなわち、商品検索画面データが送られてくると商品検索画面２１を表示し、商品リスト表示画面データが送られてくると商品リスト表示画面２２を表示する。
【００２０】
このようなシステムによれば、顧客が商品を探す場合には、まず端末装置２０から検索画面取得要求を出力する。すると、商品検索画面作成手段１３により商品検索画面データが作成され、端末装置２０に送られる。端末装置２０で商品検索画面２１を表示するとカテゴリ選択メニュー２１ａが表示されるが、このカテゴリ選択メニュー２１ａには、時節の合致しないカテゴリは表示されない。図の例では、日付が「１２／１１」であるため「お中元（開始月日：０６／０１，終了月日：０８／３１）」と「バレンタイン（開始月日：０２／０１，終了月日：０２／１４）」のカテゴリは、時節が合わず表示されない。したがって、顧客は時節が適合したカテゴリの中から目的の商品が属しているカテゴリを見つけ出し、そのカテゴリを選択した後「検索」ボタン２１ｂを押す。すると、検索指令が出される。検索指令がモールサーバ１０に渡されると、商品検索手段１４により、選択したカテゴリに属する商品の検索が行われ商品リスト表示画面データが作成される。その商品リスト表示画面データは端末装置２０に送られ、端末装置２０には商品リスト表示画面２２が表示される。
【００２１】
このようにして、時節の合ったカテゴリのみがカテゴリ選択メニュー２１ａに検索キーとして表示されるため、必要なカテゴリが不要なカテゴリに埋もれることもなく、目的のカテゴリを容易に選択することができる。その結果、カテゴリ選択時の顧客の負担が軽減される。また、販売期間以外の商品が商品リストとして表示されることもない。
【００２２】
以下に、本発明のモールサーバを用いてインターネット上でショッピングモールサービスを提供する場合を例にとり、本発明の実施の形態を説明する。
図２は、ショッピングモールシステムの概念図である。モールサーバ３０は、インターネット４１を介して顧客４２の顧客端末装置５０や出展企業４３のコンピュータと接続されている。
【００２３】
顧客４２は、顧客端末装置５０を操作してモールサーバ３０にアクセスする。そして、商品の検索や商品の注文などを行う。商品の注文情報はモールサーバ３０内で保持される。出店企業４３の担当者は、モールサーバ３０にアクセスし、商品情報を登録したり注文情報の取り寄せを行う。出店企業４３の担当者は、注文情報により受注状況を把握し、注文した客からの代金の支払いを確認したら商品を発送する。
【００２４】
図３は、モールサーバ３０と顧客端末装置５０との内部構成を示す図である。なお、モールサーバ３０から顧客端末装置５０に渡される商品検索画面データ等の画面データは、全てＨＴＭＬ（Ｈｙｐｅｒ  Ｔｅｘｔ  Ｍａｒｋｕｐ  Ｌａｎｇｕａｇｅ）形式の文書データである。
【００２５】
モールサーバ３０は、各種情報登録用のテーブルとして、出店企業の識別情報が登録された商店マスタテーブル３１、各カテゴリの表示期間が登録されたカテゴリマスタテーブル３２、及び各商品の属するカテゴリが登録された商品マスタテーブル３３を有している。これらのテーブルの内容の詳細は後述する。
【００２６】
商品検索画面作成処理部３４は、検索画面取得要求があった際に商店マスタテーブル３１とカテゴリマスタテーブル３２とを参照して商品検索画面データを作成する。作成した商品検索画面データは、顧客端末装置５０に送る。商品検索部３５は、検索指令が出された際に、指定された条件に従って商品マスタテーブル３３を検索する。このとき、商店が指定されていなければ商店別ヒット数表示画面データを作成して顧客端末装置５０に送り、商店が指定されていれば商品リスト表示画面データを作成して顧客端末装置５０に送る。注文管理部３６は、商品指定情報を受け取ると、その商品の注文書入力画面データを顧客端末装置５０に送る。注文管理部３６は、顧客端末装置５０から必要事項が入力されると、その内容を注文情報として注文情報記憶部３７に格納する。
【００２７】
一方、顧客端末装置５０は、ＨＴＭＬ文書を閲覧できるＷＷＷ（Ｗｏｒｌｄ  Ｗｉｄｅ  Ｗｅｂ）ブラウザ５０ａを有しており、モールサーバ３０から受け取った各画面データはＷＷＷブラウザ５０ａに渡される。そして、ＷＷＷブラウザ５０ａにより表示装置の画面に表示される。また、モールサーバ３０への要求等の出力もＷＷＷブラウザ５０ａに対する入力により行われる。
【００２８】
すなわち、顧客が商品を注文する際には、ＷＷＷブラウザ５０ａを用いてモールサーバ３０にアクセスし、顧客端末装置５０にショッピングモールメイン画面５１を表示する。この画面から検索画面取得要求を出力することができる。また、ＷＷＷブラウザ５０ａは、モールサーバ３０から受けとったデータに基づいて、商品検索画面５２、商店別ヒット数表示画面５３、商品リスト表示画面５４及び注文書入力画面５５を表示する。商品検索画面５２は、商店やカテゴリを選択して検索指令を出力するための画面である。商店別ヒット数表示画面５３は、各商店における検索条件に合致した商品の数を示すための画面である。商品リスト表示画面５４は、購入したい商品の指定情報を入力するための画面である。注文書入力画面５５は、商品を注文する際の必要事項を入力するための画面である。
【００２９】
次に、各テーブルに登録されている情報について説明する。
図４は、商店マスタテーブルの例を示す図である。商店マスタテーブル３１には、商店コードと商店名称とが対応づけて登録されている。この内容は、モールサーバ３０の運用者が登録する。この例では、商店コード「ＩＤＭ０００１」が商店名「商店Ａ」に対応し、商店コード「ＩＤＭ０００２」が商店名「商店Ｂ」に対応し、商店コード「ＩＤＭ０００３」が商店名「商店Ｃ」に対応している。
【００３０】
図５は、カテゴリマスタテーブルの例を示す図である。カテゴリマスタテーブル３２には、カテゴリコードに対応づけて、カテゴリ名称、表示開始月日及び表示終了月日が登録されている。この内容は、モールサーバ３０の運用者が登録する。ここで、表示期間の制限をしないカテゴリは、表示開始月日が「００／００」とされ、表示終了月日が「９９／９９」とされている。この例では、カテゴリ名称が「クリスマス」、「お中元」、「お正月」及び「バレンタインデー」のカテゴリに関しては表示時期の制限があり、それぞれ「１２／０１〜１２／２５」、「０６／０１〜０８／３１」、「１２／２０〜０１／０５」、「０２／０１〜０２／１４」の期間が設定されている。その他の「フード／ドリンク」、「ファッション」、「電化製品／パソコン」、「ビジネス／事務用品」、「教育用品」、及び「書籍」のカテゴリに関しては、表示期間の制限はない。
【００３１】
図６は、商品マスタテーブルの例を示す図である。商品マスタテーブル３３には、商品コードに対応づけて、商品名称、単価、商品説明画面ＵＲＬ（Ｕｎｉｆｏｒｍ  Ｒｅｓｏｕｒｃｅ  Ｌｏｃａｔｏｒ）、商店コード、カテゴリコード１、及びカテゴリコード２が登録されている。この内容は、各商店のオペレータが登録する。この例では、各商品は、複数のカテゴリに属することができる。例えば、「商品１」のカテゴリコードには、「Ｃ０００１」、「Ｊ０００１」が登録されているため、この商品は「クリスマス」と「フード／ドリンク」との２つのカテゴリに属している。なお、商品説明ＵＲＬは、該当する商品の説明が記載された文書情報の場所を示している。
【００３２】
次に、図３のモールサーバ３０の各テーブルに図４〜図６に示した情報が登録されているものとし、顧客が商品の検索を行う際のモールサーバ３０の処理を具体的に説明する。
【００３３】
図７は、商品検索画面作成処理の例を示す図である。ショッピングモールメイン画面５１には、ショッピングモールで提供しているサービスのジャンル分けが表示されている。そのジャンルの中に「商品検索」がある。顧客が「商品検索」のボタン５１ａを押すと、顧客端末装置５０からモールサーバ３０へ検索画面取得要求が出力される。すると、商品検索画面作成処理部３４が、商店マスタテーブル３１から登録されている商店の名称を取得する。また、カテゴリマスタテーブル３２から表示期間の条件の中に現在の日付を含むカテゴリの名称を取得する。商品検索画面作成処理部３４は、これらの取得した情報から商品検索画面データを作成する。その商品検索画面データが顧客端末装置５０に送られると、顧客端末装置５０の表示装置の画面に商品検索画面５２が表示される。商品検索画面５２には、検索キーの入力領域５２ａ〜５２ｅがある。この例では、「商店」、「カテゴリ」、「商品名称」、「上限単位」及び「下限単位」の５つの検索キーが用意されている。「商店」と「カテゴリ」との検索キー入力領域５２ａ，５２ｂの右側には、メニューを表示させるためのボタン５２ａａ，５２ｂａがある。
【００３４】
「商店」の右のボタン５２ａａを押すと、図４に示した商店マスタテーブル３１に登録されている商店名称のリストが表示される。「カテゴリ」の右のボタン５２ｂａを押すと、図５に示したカテゴリマスタテーブル３２の中で、現在の日付（この例では「１２月１１日」であるものとする）を表示開始月日と表示終了月日との間に含んでいるカテゴリの名称が表示される。従って、カテゴリマスタテーブル３２の中の「お中元」と「バレンタインデー」とは表示されていない。
【００３５】
顧客が商品検索画面５２において目的の商品が属しているカテゴリを検索キーとして入力し「検索開始」ボタン５２ｆを押すことにより、顧客端末装置５０からモールサーバ３０へ検索指令が出力される。その検索指令は、商品検索部３５に渡され、商品の検索が行われる。
【００３６】
図８は、商品検索処理の例を示す図である。商品検索画面５２において、各種検索キーの入力を行い「検索開始」のボタン５２ｆを押すと、検索キーが商品検索部３５に渡される。すると、商品検索部３５は、商品マスタテーブル３３を参照して商品検索を行う。
【００３７】
ここで、商店が指定されていない場合（商店無指定時）には、商品マスタテーブル３３から指定されたカテゴリコードを持つ商品を検索して、商店コード毎に検索ヒット件数を集計する。その検索結果から、商店別ヒット数表示画面データを作成する。そして、顧客端末装置５０には商店別ヒット数表示画面５３が表示される。
【００３８】
一方、商品が指定されていた場合（商店指定時）には、商品マスタテーブル３３から、指定されたカテゴリコードと商店コードとを持つ商品を検索する。その検索結果から、商品リスト表示画面データを作成する。そして、、顧客端末装置５０には商品リスト表示画面５４が表示される。
【００３９】
商店別ヒット数表示画面５３には、検索条件表示部５３ａと商店別ヒット数表示部５３ｂとがある。この例では、検索条件表示部５３ａには「カテゴリ」の項目に「クリスマス」とだけ表示されている。一方、商店別ヒット数表示部５３ｂには、商店が取り扱っている商品の中で、検索キーの条件に合致する商品の数が集計され、「ヒット件数」として表示されている。この例では、クリスマスのカテゴリコード「Ｊ０００１」を有する商品の数が表示される。顧客は、商店別ヒット数表示部５３ｂの中から商店を一つ選択する。ここでは「商店Ａ」を選択したものとする。すると、その商店の商品リスト表示画面５４が顧客端末装置５０に表示される。
【００４０】
商品リスト表示画面５４には、検索条件表示部５４ａと商品リスト表示部５４ｂとがある。この例では、検索条件表示部５４ａには「商店」の項目に「商店Ａ」が表示され、「カテゴリ」の項目に「クリスマス」と表示されている。商品リスト表示部５４ｂには、商品名称に対応づけて「商品コード」と「価格」とが表示されている。顧客が、商品リスト表示部５４ｂのなかから欲しいと思う商品を選択すると、商品指定情報が注文管理部３６に渡され、顧客端末装置５０には注文書入力画面５５が表示される。顧客は、この注文書入力画面５５に所定の事項を入力することにより、目的の商品を発注することができる。その注文書入力画面５５で入力された情報は、注文管理部３６により注文情報記憶部３７に格納される。
【００４１】
次に、商品検索画面作成の処理手順を説明する。この処理は、検索画面取得要求を受け取った商品検索画面作成処理部３４が行う。
図９は、商品検索画面作成処理部の処理手順を示すフローチャートである。この処理をステップ番号に沿って説明する。
〔Ｓ１〕検索画面用定型データを取得する。この検索画面用定型データは、カテゴリ選択メニューの内容を除いた状態の検索画面データであり、予めＨＴＭＬ形式で作成されている。なお、この検索画面用定型データには、商店名のリストは既に組み込まれているものとする。
〔Ｓ２〕モールサーバ３０の内部に設けられている時計機能から、現在の日付を取得する。
〔Ｓ３〕カテゴリマスタテーブル３２より、まだ選択されていないカテゴリを一つ選択する。
〔Ｓ４〕選択したカテゴリの開始月日と終了月日とを取得する。
〔Ｓ５〕開始月日が現在日付より前か否かを判断する。同日若しくは開始月日の方が前であればステップＳ６に進み、現在日付の方が前であればステップＳ８に進む。
〔Ｓ６〕現在日付が終了月日より前か否かを判断する。同日若しくは現在日付の方が前であればステップＳ７に進み、終了月日の方が前であればステップＳ８に進む。
〔Ｓ７〕選択されているカテゴリを、検索キーとしてカテゴリ選択メニューに登録する。例えば、ＨＴＭＬの＜ＳＥＬＥＣＴ＞＜／ＳＥＬＥＣＴ＞のタグで挟まれた領域に、＜ＯＰＴＩＯＮ＞のタグを付けてカテゴリを追加する。、
〔Ｓ８〕全てのカテゴリを選択したか否かを判断する。全てのカテゴリの選択が終了していればステップＳ９に進み、未選択のカテゴリがあればステップＳ３にすすむ。
〔Ｓ９〕商品検索画面データを顧客端末装置５０に送信する。
【００４２】
このようにして、時節が合致したカテゴリのみがカテゴリ選択メニューに検索キーの候補として登録される。したがって、顧客には時節が合わないカテゴリはメニューに表示されないため、検索キーとしてカテゴリを選択する際に目的のカテゴリを容易に選択することができる。
【００４３】
しかも、本発明のモールサーバによれば、表示すべき期間をカテゴリ別に設定できるため、期間限定商品の登録や抹消を出店企業毎に行う必要がなく、出店企業の負担が軽減される。しかも、モールサーバの管理者が行う作業は、カテゴリマスタテーブルへの開始月日と終了月日との登録だけであるため、特にモールサーバの運用者の負担が過大となることもない。
【００４４】
なお、上記の処理機能は、コンピュータによって実現することができる。その場合、モールサーバが有すべき機能の処理内容は、コンピュータで読み取り可能な記録媒体に記録されたプログラムに記述されており、このプログラムをコンピュータで実行することにより、上記処理がコンピュータで実現される。コンピュータで読み取り可能な記録媒体としては、磁気記録装置や半導体メモリ等がある。市場を流通させる場合には、ＣＤ−ＲＯＭ（Ｃｏｍｐａｃｔ  Ｄｉｓｋ  Ｒｅａｄ  Ｏｎｌｙ  Ｍｅｍｏｒｙ）  やフロッピーディスク等の可搬型記録媒体にプログラムを格納して流通させたり、ネットワークを介して接続されたコンピュータの記憶装置に格納しておき、ネットワークを通じて他のコンピュータに転送することもできる。コンピュータで実行する際には、コンピュータ内のハードディスク装置等にプログラムを格納しておき、メインメモリにロードして実行する。
【００４５】
【発明の効果】
以上説明したように本発明では、各カテゴリの適用期間をカテゴリマスタテーブルに登録しておき、検索画面取得要求があった際には、現在の日付を適用期間内に含んでいるカテゴリのみをカテゴリ選択メニューに含めて商品検索画面データを作成するようにしたため、商品検索画面データを閲覧する顧客は時節に合ったカテゴリの中から目的のカテゴリを選択でき、カテゴリの選択が容易となる。
【００４６】
また、本発明のモールサーバプログラムを記録したコンピュータ読み取り可能な記録媒体では、各カテゴリの適用期間をカテゴリマスタテーブルに登録しておき、検索画面取得要求があった際には、現在の日付を適用期間内に含んでいるカテゴリのみをカテゴリ選択メニューに含めて商品検索画面データを作成するようなプログラムを記録しているため、この記録媒体に記録されたモールサーバプログラムをコンピュータに実行させれば、商品検索画面データを閲覧する顧客は時節に合ったカテゴリの中から目的のカテゴリを選択でき、カテゴリの選択が容易なモールサーバをコンピュータで構築できる。
【図面の簡単な説明】
【図１】本発明の原理構成図である。
【図２】ショッピングモールシステムの概念図である。
【図３】モールサーバと顧客端末装置との内部構成を示す図である。
【図４】商店マスタテーブルの例を示す図である。
【図５】カテゴリマスタテーブルの例を示す図である。
【図６】商品マスタテーブルの例を示す図である。
【図７】商品検索画面作成処理の例を示す図である。
【図８】商品検索処理の例を示す図である。
【図９】商品検索画面作成処理部の処理手順を示すフローチャートである。
【図１０】従来のモールサーバの商品検索画面を示す図である。
【符号の説明】
１０  モールサーバ
１１  カテゴリマスタテーブル
１２  商品マスタテーブル
１３  商品検索画面作成手段
１４  商品検索手段
２０  端末装置
２１  商品検索画面
２２  商品リスト表示画面
【図１】
0003549385.tif 000002
【図２】
0003549385.tif 000003
【図３】
0003549385.tif 000004
【図４】
0003549385.tif 000005
【図５】
0003549385.tif 000006
【図６】
0003549385.tif 000007
【図７】
0003549385.tif 000008
【図８】
0003549385.tif 000009
【図９】
0003549385.tif 000010
【図１０】
0003549385.tif 000011